(57)【要約】【課題】画像信号伝送ケーブルの画像信号にノイズが乗らないように各ケーブルを配置しながらも、各ケーブルの配置スペースの節減、画像読取り装置の支点周りでの各ケーブルの引出し、各ケーブルの引き回し作業性の改善等の諸条件を満たすことが可能な画像読取り装置を提供する。【解決手段】画像読取り装置２のヒンジ（支点）４２の近傍箇所に第１乃至第３開口部９１〜９３をまとめて形成し、各ケーブルを第１乃至第３開口部９１〜９３に振り分けて通して筐体４５の内側から外側へと導出し、各ケーブルを画像形成装置１に内蔵の基板に接続している。【選択図】図１１
2014022776.tif 000002
【特許請求の範囲】
【請求項１】
原稿の画像を読取る読取り部と、前記読取り部から出力された前記原稿の画像を示す画像信号を伝送する第１ケーブルと、他の信号又は電力を伝送する第２ケーブルとを備えた画像読取り装置であって、
前記第１ケーブル及び第２ケーブルを前記画像読取り装置の筐体の内側から前記筐体に形成された第１開口部及び第２開口部を通じて前記筐体の外側へと引出しており、
前記第１開口部及び第２開口部は、前記第１開口部及び第２開口部の間の壁部を介して隣り合うことを特徴とする画像読取り装置。
【請求項２】
請求項１に記載の画像読取り装置であって、
前記筐体の外側に、前記第１開口部及び第２開口部を通じて該筐体の外側へと引出された前記第１ケーブル及び第２ケーブルが接続される基板を設けたことを特徴とする画像読取り装置。
【請求項３】
請求項１に記載の画像読取り装置であって、
前記画像読取り装置は、他の装置本体に対して支点を中心に開閉可能に取り付けられており、前記第１開口部及び第２開口部を前記支点の近傍に設けたことを特徴とする画像読取り装置。
【請求項４】
請求項１に記載の画像読取り装置であって、
操作パネルと、前記操作パネルに対して入出力される信号又は電力を伝送する第３ケーブルとを備え、
前記第３ケーブルを前記筐体の内側から前記筐体に形成された第３開口部を通じて前記筐体の外側へと引出しており、
前記第３開口部は、前記第１開口部及び第２開口部の少なくとも１つと前記第３開口部との間の壁部を介して隣り合うことを特徴とする画像読取り装置。
【請求項５】
請求項２に記載の画像読取り装置であって、
前記読取り部により読取られる原稿を搬送する原稿搬送装置と、前記原稿搬送装置に対して入出力される信号又は電力を伝送する第４ケーブルとを備え、
前記第４ケーブルを前記筐体の内側から前記筐体に形成された前記第２開口部を通じて前記筐体の外側へと引出したことを特徴とする画像読取り装置。
【請求項６】
請求項５に記載の画像読取り装置であって、
前記筐体の内側で前記第２開口部の一部を覆う覆い壁部を備え、
前記第１ケーブルは、前記覆い壁部に沿って配されて前記第１開口部へと導かれ、
前記覆い壁部は、前記第１ケーブルと前記第４ケーブルとの間に介在することを特徴とする画像読取り装置。
【請求項７】
請求項１から６のいずれか１つに記載の画像読取り装置と、前記画像読取り装置により読取られた原稿の画像を記録用紙に印刷する印刷部とを備えたことを特徴とする画像形成装置。
【発明の詳細な説明】
【技術分野】
【０００１】
本発明は、原稿等を読取る画像読取り装置、及びそれを備えた画像形成装置に関する。
【背景技術】
【０００２】
この種の画像読取り装置では、原稿載置ガラスの下方に密着型イメージセンサ（ＣＩＳ（Contact Image Sensor））を設け、ＣＩＳにより原稿載置ガラス上に載置された原稿を主走査方向に繰り返し読取りながら、ＣＩＳを副走査方向に移動させて、原稿を主走査方向及び副走査方向に読取る。
【０００３】
このような画像読取り装置では、ＣＩＳにより読取られた原稿の画像を示す画像信号を伝送する画像信号伝送ケーブル、及び他の信号や伝送電力を伝送する他のケーブル（例えばＣＩＳを移動させるためのモータに駆動信号を伝送する駆動信号伝送ケーブル等）が設けられており、これらのケーブルが引き回されている。
【０００４】
ところが、画像信号伝送ケーブルの画像信号は、外部ノイズの影響を受け易く、例えば駆動信号伝送ケーブルの駆動信号がノイズとなって画像信号に乗ると、読取られた画像に乱れが生じる。このため、一般的には、画像信号伝送ケーブルと駆動信号伝送ケーブルとを離して配置している。例えば、画像信号伝送ケーブルを画像読取り装置の筐体の内部に配置し、駆動信号伝送ケーブルを筐体の外部に配置している。
【０００５】
あるいは、特許文献１では、ノイズの影響を受け易いケーブルとノイズを放射し易いケーブルとを装置本体の左右に振り分け離間させて配置し、これによりケーブル間の信号の干渉や影響を防止している。
【０００６】
また、特許文献２では、電源ハーネスと信号ハーネスをドレインパンを挟んで分離させて配置し、信号ハーネスが電源ハーネスの影響を受けないようにしている。
【先行技術文献】
【特許文献】
【０００７】
【特許文献１】特開２００３−１４３３４１号公報
【特許文献２】特開２０１１−２５７１０３号公報
【発明の概要】
【発明が解決しようとする課題】
【０００８】
ところで、近年、画像読取り装置の更なる省スペース化、小型化、及び薄型化が要望されており、画像信号伝送ケーブル等の各ケーブルの配置スペースが狭くなっている。また、画像読取り装置を支点周りに開閉自在に支持する構成においては、各ケーブルをその支点周りで画像読取り装置から引出して、画像読取り装置の開閉に伴う各ケーブルの移動量を少なくして、各ケーブルにかかる負荷を低減し、また各ケーブルが画像読取り装置の開閉に支障を来たさないようにする必要があり、各ケーブルの配置の自由度が低くなる。更に、各ケーブルの引き回しの作業性が低下しないようにせねばならない。
【０００９】
従って、画像信号伝送ケーブルの画像信号にノイズが乗らないように各ケーブルを配置するのが望ましいものの、その一方で各ケーブルの配置スペースの節減、画像読取り装置の支点周りでの各ケーブルの引出し、各ケーブルの引き回し作業性の改善等の諸条件を満たす必要があり、そのような各ケーブルの配置は困難であった。
【００１０】
そこで、本発明は、上記従来の問題点に鑑みなされたものであり、画像信号伝送ケーブルの画像信号にノイズが乗らないように各ケーブルを配置しながらも、各ケーブルの配置スペースの節減、画像読取り装置の支点周りでの各ケーブルの引出し、各ケーブルの引き回し作業性の改善等の諸条件を満たすことが可能な画像読取り装置及びそれを備えた画像形成装置を提供することを目的とする。
【課題を解決するための手段】
【００１１】
上記課題を解決するために、本発明の画像読取り装置は、原稿の画像を読取る読取り部と、前記読取り部から出力された前記原稿の画像を示す画像信号を伝送する第１ケーブルと、他の信号又は電力を伝送する第２ケーブルとを備えた画像読取り装置であって、前記第１ケーブル及び第２ケーブルを前記画像読取り装置の筐体の内側から前記筐体に形成された第１開口部及び第２開口部を通じて前記筐体の外側へと引出しており、前記第１開口部及び第２開口部は、前記第１開口部及び第２開口部の間の壁部を介して隣り合っている。
【００１２】
このような本発明の画像読取り装置では、第１ケーブル及び第２ケーブルを画像読取り装置の筐体に形成された第１開口部及び第２開口部を通じて外側へと引出している。また、第１開口部及び第２開口部は、第１開口部及び第２開口部の間の壁部を介して隣り合う。従って、第１ケーブル及び第２ケーブルは、概ね一箇所に集められ、第１開口部及び第２開口部に振り分けられて通され、筐体の外側へと引出される。このため、各ケーブルの配置スペースが節減され、各ケーブルの引き回し作業性が改善される。また、第１ケーブル及び第２ケーブルは、第１開口部及び第２開口部の間の壁部の厚みの分だけは離間するので、第１ケーブルの画像信号に対して第２ケーブルの信号や伝送電力がノイズとして乗ることはない。
【００１３】
また、本発明の画像読取り装置においては、前記筐体の外側に、前記第１開口部及び第２開口部を通じて該筐体の外側へと引出された前記第１ケーブル及び第２ケーブルが接続される基板を設けている。
【００１４】
このような基板が設けられた構成においては、第１ケーブル及び第２ケーブルの引き回し長さが短くなり、本発明の適用が有効である。
【００１５】
更に、本発明の画像読取り装置においては、前記画像読取り装置は、他の装置本体に対して支点を中心に開閉可能に取り付けられており、前記第１開口部及び第２開口部を前記支点の近傍に設けている。
【００１６】
この場合は、画像読取り装置の開閉に伴う各ケーブルの移動量が少なくなって、各ケーブルにかかる負荷が低減され、また各ケーブルが画像読取り装置の開閉に支障を来たことがない。
【００１７】
また、本発明の画像読取り装置においては、操作パネルと、前記操作パネルに対して入出力される信号又は電力を伝送する第３ケーブルとを備え、前記第３ケーブルを前記筐体の内側から前記筐体に形成された第３開口部を通じて前記筐体の外側へと引出しており、前記第３開口部は、前記第１開口部及び第２開口部の少なくとも１つと前記第３開口部との間の壁部を介して隣り合っている。
【００１８】
このように操作パネルに対して入出力される信号又は電力を伝送する第３ケーブルを備える場合は、第３ケーブルを通す第３開口部を設けて、第１開口部及び第２開口部の少なくとも１つと第３開口部とが壁部を介して隣り合うようにすることにより、第３ケーブルについても、第１ケーブル及び第２ケーブルと同様の作用効果を得ることができる。
【００１９】
更に、本発明の画像読取り装置においては、前記読取り部により読取られる原稿を搬送する原稿搬送装置と、前記原稿搬送装置に対して入出力される信号又は電力を伝送する第４ケーブルとを備え、前記第４ケーブルを前記筐体の内側から前記筐体に形成された前記第２開口部を通じて前記筐体の外側へと引出している。
【００２０】
このように原稿搬送装置に対して入出力される信号又は電力を伝送する第４ケーブルを第２開口部を通じて引出した場合、第１ケーブル及び第４ケーブルは、第１開口部及び第２開口部の間の壁部の厚みの分だけは離間するので、第１ケーブルの画像信号に対して第４ケーブルの信号や伝送電力がノイズとして乗ることはない。
【００２１】
また、本発明の画像読取り装置においては、前記筐体の内側で前記第２開口部の一部を覆う覆い壁部を備え、前記第１ケーブルは、前記覆い壁部に沿って配されて前記第１開口部へと導かれ、前記覆い壁部は、前記第１ケーブルと前記第４ケーブルとの間に介在している。
【００２２】
この場合は、第１ケーブルが覆い壁部に沿って配されて第２開口部を超え第１開口部へと導かれる。また、第１ケーブルと第４ケーブルとの間に覆い壁部が介在して、第１ケーブルと第４ケーブルとが離間するので、第１ケーブルの画像信号に対して第４ケーブルの信号や伝送電力がノイズとして乗ることはない。
【００２３】
一方、本発明の画像形成装置は、上記本発明の画像読取り装置と、前記画像読取り装置により読取られた画像を用紙に印刷する印刷部とを備えている。
【００２４】
このような本発明の画像形成装置においても、上記本発明の画像読取り装置と同様の作用効果を相する。
【発明の効果】
【００２５】
本発明では、第１ケーブル及び第２ケーブルを画像読取り装置の筐体に形成された第１開口部及び第２開口部を通じて外側へと引出している。また、第１開口部及び第２開口部は、第１開口部及び第２開口部の間の壁部を介して隣り合う。従って、第１ケーブル及び第２ケーブルは、概ね一箇所に集められ、第１開口部及び第２開口部に振り分けられて通され、筐体の外側へと引出される。このため、各ケーブルの配置スペースが節減され、各ケーブルの引き回し作業性が改善される。また、第１ケーブル及び第２ケーブルは、第１開口部及び第２開口部の間の壁部の厚みの分だけは離間するので、第１ケーブルの画像信号に対して第２ケーブルの信号や伝送電力がノイズとして乗ることはない。
【図面の簡単な説明】
【００２６】
【図１】本発明の画像読取り装置の一実施形態を備えた画像形成装置を正面から見て示す斜視図である。
【図２】図１の画像形成装置を示す断面図である。
【図３】図１の画像読取り装置及び原稿搬送装置を正面から見て示す断面図である。
【図４】画像読取り装置を側方から見て示す断面図である。
【図５】画像読取り装置の内部を示す平面図である。
【図６】密着型イメージセンサ（ＣＩＳ）を概略的に示す断面図である。
【図７】画像読取り装置のヒンジの近傍箇所にまとめて形成された第１乃至第３開口部及びその周辺を上方から見て拡大して示す平面図である。
【図８】（ａ）、（ｂ）は、第１乃至第３開口部及びその周辺を上方の２方向から見て拡大して示す斜視図である。
【図９】第１乃至第３開口部及びその周辺を下方から見て拡大して示す平面図である。
【図１０】（ａ）、（ｂ）は、第１乃至第３開口部及びその周辺を下方の２方向から見て拡大して示す斜視図である。
【図１１】第１乃至第３開口部及び各ケーブルを上方から見て拡大して示す斜視図である。
【図１２】引出された各ケーブルを基板に接続した状態を示す斜視図である。
【発明を実施するための形態】
【００２７】
以下、本発明の実施形態を図面に基づいて説明する。
【００２８】
図１は、本発明の画像読取り装置の一実施形態を備えた画像形成装置を正面から見て示す斜視図である。この画像形成装置１は、原稿を読取って記録用紙に印刷する複写機能を有しており、画像読取り装置２、原稿搬送装置（ＡＤＦ）３、印刷部４、及び給紙カセット５等を備えている。
【００２９】
図２は、画像形成装置１を側方から見て示す断面図である。この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、現像装置１２、感光体ドラム１３、ドラムクリーニング装置１４、及び帯電器１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００３０】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００３１】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００３２】
中間転写ベルト２１と２次転写装置２６の転写ローラ２６ａ間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２間に記録用紙を挟み込んで加熱及び加圧し、記録用紙上のカラーのトナー像を定着させる。
【００３３】
一方、記録用紙は、ピックアップローラ３３により給紙カセット５から引出されて、用紙搬送経路Ｒ１を通じて搬送され、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００３４】
また、記録用紙の表面だけではなく、裏面の印字を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ３９へと搬出する。
【００３５】
次に、画像形成装置１の本体上部に搭載された画像読取り装置２及び原稿搬送装置３の概略構成を説明する。図３は、画像読取り装置２及び原稿搬送装置３を正面から見て示す断面図である。また、図４は、画像読取り装置２を側方から見て示す断面図である。更に、図５は、画像読取り装置２の筐体４５の内部構造等を示す平面図である。
【００３６】
図３において、原稿搬送装置３は、その奥一辺のヒンジ（支点、図示せず）により画像読取り装置２に対して開閉自在に支持されており、その手前部分が上下されることにより開閉される。原稿搬送装置３が開かれると、画像読取り装置２の原稿読取りガラス４３及び原稿載置ガラス４４が開放される。
【００３７】
また、画像読取り装置２は、その奥一辺のヒンジ（支点）４２（図５に示す）により画像形成装置１に対して開閉自在に支持されており、その手前部分が上下されることにより開閉される。画像読取り装置２が大きく開かれると、画像形成装置１に内蔵の部品等のメンテナンスを行うことができる。
【００３８】
更に、図５に示すように画像読取り装置２の手前側には、操作パネル４１が設けられている。この操作パネル４１は、液晶表示装置及びキーボード等を備えている。液晶表示装置の画面には、画像形成装置１の操作を支援するためのイラスト、メッセージ、表示ボタン等が表示される。また、液晶表示装置の画面には、透明なタッチパネルが重ねられており、指が画面に表示されている表示ボタン等に接触すると、タッチパネルにより画面上の表示ボタン等の位置が検出される。キーボードの操作や液晶表示装置の画面上の表示ボタン等の操作により、画像形成装置１、画像読取り装置２、原稿搬送装置３等に対して各種の指示を出すことができる。
【００３９】
図３及び図４に示すように原稿読取りガラス４３及び原稿載置ガラス４４は、画像読取り装置２の筐体４５の上側開口部に設けられている。筐体４５の上側開口部周縁に縁取り枠４５ａを設け、縁取り枠４５ａの内側に原稿読取りガラス４３及び原稿載置ガラス４４を配置して支持し、また各ガラス４３、４４との間に原稿案内部４６を挟み込んでいる。
【００４０】
また、図３乃至図５に示すように筐体４５の底部４５ｂに、副走査方向Ｘに延在するガイド部材４８を設けている。
【００４１】
このガイド部材４８に主走査方向Ｙに長い走行体４９を載せ、ガイド部材４８により走行体４９を副走査方向Ｘにガイドしている。また、走行体４９に密着型イメージセンサ（ＣＩＳ（Contact Image Sensor））５１を搭載し、ＣＩＳ５１を原稿読取りガラス４３及び原稿載置ガラス４４の下面に対して僅かの隙間を開けて保持している。更に、筐体４５の内部に移動ユニットＭＵを設けている。移動ユニットＭＵは、走行体４９に接続された無端状のベルト５０を備え、このベルト５０を周回移動させて、走行体４９を副走査方向Ｘに移動させる。従って、移動ユニットＭＵにより走行体４９が移動され、ガイド部材４８により走行体４９がガイドされ、これによりＣＩＳ５１が原稿読取りガラス４３及び原稿載置ガラス４４の下方で副走査方向Ｘに移動されたり位置決めされたりする。
【００４２】
図６は、ＣＩＳ５１を概略的に示す断面図である。図６に示すようにＣＩＳ５１は、原稿を原稿載置ガラス４４又は原稿読取りガラス４３を介して照明する一対の棒状光源５２、原稿からの反射光を集光するセルフォック（登録商標）レンズアレイ５３、及びセルフォックレンズアレイ５３を通じて受光した原稿からの反射光を光電変換してアナログの画像信号を出力するラインセンサ５４を備えている。
【００４３】
ＣＩＳ５１では、各棒状光源５２により原稿読取りガラス４３又は原稿載置ガラス４４の上の原稿を照明し、セルフォックレンズアレイ５３により原稿からの反射光をラインセンサ５４に集光し、ラインセンサ５４により原稿を主走査方向Ｙに走査して読取る。
【００４４】
また、図５に示すように移動ユニットＭＵにおいては、筐体４５の底部４５ｂに副走査方向Ｘに離間して並ぶ一対の軸８１、８２を突設し、各軸８１、８２の上端にそれぞれの小プーリ８３、８４を回転自在に支持し、各小プーリ８３、８４に無端状のベルト５０を架け渡している。図４に示すようにベルト５０は、走行体４９の底板４９ａに突設された接続片４９ｆに接続固定されている。
【００４５】
更に、一方の軸８２の小プーリ８３に大ギヤ８６を同芯状に重ねて固定し、小プーリ８３と大ギヤ８６が共に回転するようにされている。モータ８７は、一方の軸８２の近傍で筐体４５の底部４５ｂに固定されている。モータ８７の出力軸に駆動ギヤ８８を固定し、駆動ギヤ８８と大ギヤ８６とを歯合させている。
【００４６】
ここで、モータ８７が駆動されて、駆動ギヤ８８が回転すると、駆動ギヤ８８に歯合している大ギヤ８６が回転し、小プーリ８３が回転し、ベルト５０が周回移動して、小プーリ８４が回転する。そして、ベルト５０が周回移動すると、ベルト５０に接続固定された接続片４９ｆが副走査方向Ｘに移動し、走行体４９がガイド部材４８上で副走査方向Ｘに滑動してガイドされ、ＣＩＳ５１が原稿読取りガラス４３及び原稿載置ガラス４４の下面に沿って副走査方向Ｘに移動する。また、モータ８７の出力軸の回転方向と回転角度を制御することにより、走行体４９及びＣＩＳ５１の移動方向と移動距離を制御することができる。
【００４７】
また、図４及び図５に示すように筐体４５の底部４５ｂ上には、走行体４９の前側に突設された検出片４９ｇを検出する位置センサ８９が設けられている。この位置センサ８９により走行体４９のイニシャル位置が検出され、この走行体４９のイニシャル位置の検出に引き続いて、モータ８７の出力軸の回転方向と回転角度が制御されて、走行体４９及びＣＩＳ５１が原稿読取りガラス４３の下方の読取り位置に位置決めされたり、走行体４９及びＣＩＳ５１が原稿載置ガラス４４の下方で副走査方向Ｘに移動されたりする。
【００４８】
このような構成の画像読取り装置２においては、移動ユニットＭＵによりＣＩＳ５１を副走査方向Ｘに移動しつつ、ＣＩＳ５１により原稿載置ガラス４４上に載置された原稿を読取ったり（第１モード）、移動ユニットＭＵによりＣＩＳ５１を位置決めして、ＣＩＳ５１により原稿読取りガラス４３上で搬送される原稿を読取ったりする（第２モード）。
【００４９】
詳しくは、第１モードでは、原稿搬送装置３を開いて、原稿を原稿載置ガラス４４上に載置し、原稿の先端を原稿案内部４６の後端に当接させて、原稿を位置決めし、原稿搬送装置３を閉じる。ＣＩＳ５１は、原稿読取りガラス４３の下方の読取り位置で待機しており、移動ユニットＭＵにより読取り位置から原稿載置ガラス４４の下方へと移動され、更に原稿先端から原稿サイズに応じた距離だけ一定速度で副走査方向Ｘに移動され、原稿を繰り返し主走査方向Ｙに走査し、その度に、１主走査ラインのアナログ画像信号を出力し、原稿を読取って行く。
【００５０】
第２モードでは、移動ユニットＭＵによりＣＩＳ５１が原稿読取りガラス４３の下方の読取り位置に位置決めされる。この状態で、原稿搬送装置３の原稿トレイ６１上に原稿を載せてセットし、原稿搬送装置３による原稿の搬送を開始させる。原稿搬送装置３では、ピックアップローラ６２により原稿トレイ６１上の原稿を引出して、原稿を原稿搬送路６３を通じて原稿読取りガラス４３へと搬送する。このとき、原稿が原稿読取りガラス４３の上面を摺接して行き、原稿案内部４６により原稿が原稿読取りガラス４３の上面から掬い上げられる。更に、原稿は、原稿搬送路６３を通じて搬送され、排紙ローラ６４から排紙トレイ６５へと排出される。原稿搬送路６３には、原稿をその先端を揃えてから搬送するレジストローラ６６や原稿を搬送する搬送ローラ６７等が配置されている。ＣＩＳ５１は、原稿読取りガラス４３上を通過して行く原稿を繰り返し主走査方向Ｙに走査して、この走査の度に、１主走査ラインのアナログ画像信号を出力し、原稿を読取って行く。
【００５１】
このように第１及び第２モードのいずれにおいても、ＣＩＳ５１により原稿が読取られ、ＣＩＳ５１からアナログ画像信号が出力される。図５に示すようにアナログ画像信号は、アナログ画像信号伝送ケーブル７１を通じてＡ／Ｄ変換器７２に入力され、Ａ／Ｄ変換器７２によりデジタル画像信号にＡ／Ｄ変換される。そして、デジタル画像信号は、Ａ／Ｄ変換器７２からデジタル画像信号伝送ケーブル７３を通じて筐体４５の外部へと導き出され、種々の画像処理を施されてから画像形成装置１の光走査装置１１へと伝送され、画像形成装置１の印刷部４により原稿が記録用紙に記録され、この記録用紙が複写原稿として出力される。
【００５２】
ところで、本実施形態の画像読取り装置２においては、図５に示すようにＣＩＳ５１から出力されたアナログ画像信号を伝送するアナログ画像信号伝送ケーブル７１、Ａ／Ｄ変換器７２から出力されたデジタル画像信号を伝送するデジタル画像信号伝送ケーブル７３、移動ユニットＭＵのモータ８７に入力される駆動信号を伝送する駆動信号伝送ケーブル７４、位置センサ８９に対して入出力されるセンサ信号を伝送するセンサ信号伝送ケーブル７５、及び操作パネル４１に対して入出力される信号や伝送電力を伝送するパネル信号伝送ケーブル７６を備えており、各ケーブル７１、７３〜７６を筐体４５の内側で引き回し、各ケーブル７３〜７６を筐体４５の外側へと導き出して、画像形成装置１に内蔵の基板（図示せず）に接続している。また、原稿搬送装置３に対して入出力される信号や伝送電力を伝送する原稿搬送信号伝送ケーブル７７を、原稿搬送装置３から画像読取り装置２の筐体４５の内側へと導き入れて引き回し、筐体４５の外側へと導き出して、画像形成装置１に内蔵の同じ基板に接続している。
【００５３】
これらのケーブルのうちの特にデジタル画像信号伝送ケーブル７３については、画像信号にノイズが乗ると、画像品質が低下するため、ノイズの影響を受けないようにする必要がある。例えば、駆動信号伝送ケーブル７４には、ノイズの原因となり易いモータ８７の駆動信号が伝送されるため、デジタル画像信号伝送ケーブル７３を駆動信号伝送ケーブル７４から離間させる必要がある。また、他の各ケーブル７４〜７７についても、信号や伝送電力の干渉を避けるために互いに離間させるのが好ましい。
【００５４】
尚、アナログ画像信号伝送ケーブル７１については、筐体４５の外側へと導き出されず、他の各ケーブル７３〜７７に接近したり接触したりすることがなく、他の各ケーブル７３〜７７の信号や伝送電力の影響を受けることはない。
【００５５】
しかしながら、本実施形態の画像読取り装置２は、省スペース化、小型化、及び薄型化が図られたものであって、それらのケーブル７３〜７７の配置スペースが狭くなっている。また、画像読取り装置２をヒンジ４２により開閉自在に支持していることから、各ケーブル７３〜７７をヒンジ４２周りで画像読取り装置２の筐体４５から引出して、画像読取り装置２の開閉に伴う各ケーブル７３〜７７の移動量を少なくし、各ケーブル７３〜７７にかかる負荷を低減し、また各ケーブル７３〜７７が画像読取り装置２の開閉に支障を来たさないようにする必要があり、各ケーブル７３〜７７の配置の自由度が低くなっている。更に、各ケーブル７３〜７７の引き回しの作業性が低下しないようにせねばならない。
【００５６】
そこで、本実施形態の画像読取り装置２では、画像読取り装置２のヒンジ（支点）４２の近傍箇所（画像読取り装置２の走行体４９、ＣＩＳ５１、及び移動ユニットＭＵ等の主要部とヒンジ４２との間の箇所）に複数の開口部をまとめて形成し、各ケーブル７３〜７７をそれぞれの開口部に振り分けて通して筐体４５の内側から外側へと導出し、各ケーブル７３〜７７を画像形成装置１に内蔵の基板に接続している。これにより、各ケーブル７３〜７７の引き回しの作業性が良好となり、各ケーブル７３〜７７の配置スペースが節減される。また、各ケーブル７３〜７７をヒンジ４２の近傍箇所に集めて筐体４５の外側に引出していることから、画像読取り装置２の開閉に伴う各ケーブル７３〜７７の移動量が少なくなって、各ケーブル７３〜７７にかかる負荷が低減され、また各ケーブル７３〜７７が画像読取り装置２の開閉に支障を来たさないようにすることができる。
【００５７】
また、筐体４５の各開口部の間には、それぞれの壁部が介在しており、このために各開口部に通されたそれぞれのケーブルの間の離間距離を少なくとも壁部の厚み以上に維持することができ、これらのケーブルの間の信号や伝送電力の干渉を避けることができる。
【００５８】
次に、本実施形態の画像読取り装置２におけるそのような筐体４５の各開口部の構成について詳しく説明する。図７及び図８（ａ）、（ｂ）は、画像読取り装置２のヒンジ４２の近傍箇所にまとめて形成された各開口部及びその周辺を上方から見て拡大して示す平面図及び斜視図である。また、図９及び図１０（ａ）、（ｂ）は、各開口部を下方から見て拡大して示す平面図及び斜視図である。尚、図７〜図１０においては、各開口部を明示するために各ケーブル７１、７３〜７７を省略している。
【００５９】
図７〜図１０に示すように筐体４５の底部４５ｂにおける画像読取り装置２のヒンジ４２の近傍部位には、第１開口部９１、第２開口部９２、及び第３開口部９３が形成されている。第１開口部９１と第２開口部９２との間には第１壁部９５が介在している。また、第１開口部９１と第３開口部９３との間には第２壁部９６が介在している。
【００６０】
第１壁部９５及び第２壁部９６は、筐体４５の底部４５ｂの上面側から下面側へと延在している。底部４５ｂの下面側では、矩形枠部９８が下方に突出しており、矩形枠部９８の対向壁部９８ａ、９８ｂの間に第１壁部９５及び第２壁部９６が形成され、矩形枠部９８により第１乃至第３開口部９１〜９３が囲まれている。また、底部４５ｂの上面側では、下面側の対向壁部９８ａ、９８ｂにつながる対向壁部９９ａ、９９ｂが上方に突出しており、対向壁部９９ａ、９９ｂの間に第１壁部９５及び第２壁部９６が形成されている。
【００６１】
更に、底部４５ｂの上面側では、第１壁部９５の隣接部位に逆四角錐台状の内側面１０１ｂを有するガイド部１０１が形成され、このガイド部１０１の内側が第２開口部９２となっている。覆い壁部９７は、第２壁部９６とガイド部１０１の枠部１０１ａとの間に架け渡されて、第２開口部９２の一部を覆っている。
【００６２】
次に、筐体４５の第１乃至第３開口部９１〜９３に通される各ケーブル７３〜７７について説明する。図１１は、第１乃至第３開口部９１〜９３及び各ケーブル７１、７３〜７７を上方から見て拡大して示す斜視図である。
【００６３】
まず、図５に示すようにアナログ画像信号伝送ケーブル７１は、ＣＩＳ５１から引出されたフレキシブルフラットケーブルであり、その幅方向を底部４５ｂに対して垂直にされて、筐体４５の底部４５ｂ上で副走査方向Ｘに延在する側隔壁４５ｄの内面に沿って配され、側隔壁４５ｄのスリット４５ｅを通じて側隔壁４５ｄの外側に導かれ、更にＡ／Ｄ変換器７２に引き回されて接続されている。そして、図１１に示すようにデジタル画像信号伝送ケーブル７３は、Ａ／Ｄ変換器７２から引出されたフレキシブルフラットケーブルであり、その幅方向を底部４５ｂと平行にされて覆い壁部９７の上面へと導かれ、覆い壁部９７の上面に沿って配されて第２開口部９２を超え、更に第１開口部９１に通され筐体４５の底部４５ｂの下側へと引出されている。
【００６４】
また、図１１に示すように駆動信号伝送ケーブル７４は、モータ８７から引出されたビニールコードであり、筐体４５の底部４５ｂ上で主走査方向Ｙに延在するリブ４５ｆの内面に沿って配され、第２開口部９２へと導かれ、第２開口部９２に通されて筐体４５の底部４５ｂの下側へと引出されている。更に、センサ信号伝送ケーブル７５は、位置センサ８９から引出されたビニールコードであり、駆動信号伝送ケーブル７４と交差してリブ４５ｆの外側に引き回され、リブ４５ｆの外面に沿って配され、第２開口部９２へと導かれ、第２開口部９２に通されて筐体４５の底部４５ｂの下側へと引出されている。
【００６５】
更に、パネル信号伝送ケーブル７６は、操作パネル４１から引出されたフレキシブルフラットケーブルであり、その幅方向を垂直にされて、筐体４５の前端壁４５ｇの内面に沿って配され、第３開口部９３へと導かれ、９０°捻られ折り曲げられてから第３開口部９３に通されて筐体４５の底部４５ｂの下側へと引出されている。
【００６６】
また、原稿搬送信号伝送ケーブル７７は、原稿搬送装置３から引出されたビニールコードであり、原稿搬送装置３から画像読取り装置２の筐体４５の内側へと導入されて、ガイド部１０１へと引き回され、ガイド部１０１の逆四角錐台状の内側面１０１ｂにより導かれ、第２開口部９２に通されて筐体４５の底部４５ｂの下側へと引出されている。
【００６７】
図１２は、筐体４５の底部４５ｂの下側へと引出された各ケーブル７３〜７７を基板に接続した状態を示す斜視図である。図１２に示すように画像形成装置１の内側の側部には、制御基板１０３と、高圧電源基板１０４とが設けられており、制御基板１０３が画像読取り装置２のヒンジ４２の下方に配置さている。各ケーブル７３〜７７は、ヒンジ４２の近傍箇所にまとめて形成された第１乃至第３開口部９１〜９３を通じて筐体４５の底部４５ｂの下側に引出され、制御基板１０３に接続されている。
【００６８】
このような構成の画像読取り装置２においては、各ケーブル７３〜７７を画像読取り装置２のヒンジ４２の近傍箇所の第１乃至第３開口部９１〜９３を通じて筐体４５の底部４５ｂの下側に引出して、各ケーブル７３〜７７をヒンジ４２の下方の制御基板１０３に接続しているので、各ケーブル７３〜７７の引き回し作業が容易であって、各ケーブル７１、７３〜７７の配置スペースが節減される。また、各ケーブル７３〜７７をヒンジ４２の近傍箇所に集めて筐体４５の外側に引出しているので、画像読取り装置２の開閉に伴う各ケーブル７３〜７７の移動量が少なくて、各ケーブル７３〜７７にかかる負荷が小さく、また各ケーブル７３〜７７が画像読取り装置２の開閉に支障を来たすことはない。
【００６９】
一方、駆動信号伝送ケーブル７４を通じて伝送されるモータ８７の駆動信号は、その電流値が高く、他の各ケーブル７３、７５〜７７の信号に対してはノイズの発生源となる。特に、デジタル画像信号伝送ケーブル７３の画像信号は、ノイズ（モータ８７の駆動信号）が乗ると、画像品質が低下することから、ノイズの影響を受け易い。
【００７０】
ところが、図５及び図１１から明らかなようにデジタル画像信号伝送ケーブル７３は、画像読取り装置２のヒンジ４２の近傍箇所で駆動信号伝送ケーブル７４に接近してはいるものの、デジタル画像信号伝送ケーブル７３と駆動信号伝送ケーブル７４が第１開口部９１と第２開口部９２に振り分けて通され、各ケーブル７３、７４の間に第１壁部９５が介在するので、各ケーブル７３、７４が接触したり接近し過ぎたりすることはなく、デジタル画像信号伝送ケーブル７３のデジタル画像信号に駆動信号伝送ケーブル７４の駆動信号が乗ることはない。
【００７１】
従って、各画像信号伝送ケーブル７１、７３の画像信号にはノイズ（モータ８７の駆動信号）が乗らず、画像品質が低下することはない。
【００７２】
また、センサ信号伝送ケーブル７５のセンサ信号は、画像信号程ではないが、ノイズの影響を受け易い。しかしながら、図１１から明らかなようにセンサ信号伝送ケーブル７５と駆動信号伝送ケーブル７４との間にはリブ４５ｆが介在している。また、リブ４５ｆの一端近傍及び第２開口部９２において、センサ信号伝送ケーブル７５と駆動信号伝送ケーブル７４とが交差又は接触するものの、交差又は接触の長さが短いため、駆動信号伝送ケーブル７４の駆動信号がセンサ信号伝送ケーブル７５のセンサ信号に対して支障を来たす程の影響を及ぼすことはない。
【００７３】
更に、パネル信号伝送ケーブル７６を通じて伝送される信号は、ノイズの影響を受け易い。ところが、図１１から明らかなようにパネル信号伝送ケーブル７６と駆動信号伝送ケーブル７４との間にはリブ４５ｆが介在し、またパネル信号伝送ケーブル７６と駆動信号伝送ケーブル７４が第３開口部９３と第２開口部９２に振り分けて通され、第３開口部９３と第２開口部９２との間に第１開口部９１が介在するので、各ケーブル７４、７６が接触したり接近し過ぎたりすることはなく、パネル信号伝送ケーブル７６の信号に駆動信号伝送ケーブル７４の駆動信号が乗ることはない。
【００７４】
また、パネル信号伝送ケーブル７６及び原稿搬送信号伝送ケーブル７７を通じて伝送される伝送電力（電流）は、デジタル画像信号伝送ケーブル７３のデジタル画像信号に影響を及ぼす可能性がある。ところが、デジタル画像信号伝送ケーブル７３とパネル信号伝送ケーブル７６との間には第２壁部９６が介在し、またデジタル画像信号伝送ケーブル７３と原稿搬送信号伝送ケーブル７７との間には覆い壁部９７及び第１壁部９５が介在するので、デジタル画像信号伝送ケーブル７３がパネル信号伝送ケーブル７６及び原稿搬送信号伝送ケーブル７７に接触したり接近し過ぎたりすることはなく、パネル信号伝送ケーブル７６及び原稿搬送信号伝送ケーブル７７の伝送電力（電流）がデジタル画像信号伝送ケーブル７３のデジタル画像信号に対して支障を来たす程の影響を及ぼすことはない。
【００７５】
また、第１乃至第３開口部９１〜９３の間には第１壁部９５や第２壁部９６が介在しているので、デジタル画像信号伝送ケーブル７３と、駆動信号伝送ケーブル７４と、パネル信号伝送ケーブル７６とが互いに接近し過ぎることはなく、信号や伝送電力の干渉が効果的に防止される。
【００７６】
更に、底部４５ｂの下面側では矩形枠部９８が下方に突出し、各ケーブル７３〜７７が矩形枠部９８の内側を通っているので、画像読取り装置２がヒンジ４２を中心にして大きく開かれても、各ケーブル７３〜７７が露呈せず、利用者の手が各ケーブル７３〜７７に不用意に接触するという事態を防止することができる。
【００７７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００７８】
１  画像形成装置
２  画像読取り装置
３  原稿搬送装置
４  印刷部
５  給紙カセット
１１  光走査装置
１２  現像装置
１３  感光体ドラム
１４  ドラムクリーニング装置
１５  帯電器
１７  定着装置
２１  中間転写ベルト
２６  ２次転写装置
４１  操作パネル
４２  ヒンジ（支点）
４３  原稿読取りガラス
４４  原稿載置ガラス
４５  筐体
４６  原稿案内部
４８  ガイド部材
４９  走行体
５０  ベルト
５１  密着型イメージセンサ（読取り部）
７１  アナログ画像信号伝送ケーブル
７２  Ａ／Ｄ変換器
７３  デジタル画像信号伝送ケーブル（第１ケーブル）
７４  駆動信号伝送ケーブル（第２ケーブル）
７５  センサ信号伝送ケーブル
７６  パネル信号伝送ケーブル（第３ケーブル）
７７  原稿搬送信号伝送ケーブル（第４ケーブル）
９１  第１開口部
９２  第２開口部
９３  第３開口部
９５  第１壁部
９６  第２壁部
９７  覆い壁部
１０１  ガイド部
１０３  制御基板（基板）
１０４  高圧電源基板
【図１】
2014022776.tif 000003
【図２】
2014022776.tif 000004
【図３】
2014022776.tif 000005
【図４】
2014022776.tif 000006
【図５】
2014022776.tif 000007
【図６】
2014022776.tif 000008
【図７】
2014022776.tif 000009
【図８】
2014022776.tif 000010
【図９】
2014022776.tif 000011
【図１０】
2014022776.tif 000012
【図１１】
2014022776.tif 000013
【図１２】
2014022776.tif 000014